(57)【要約】　　　（修正有）【課題】リビング等の長時間使用する居室の既設のエアコンは、能力が大きく形式も古く、軽負荷運転が多く、平均稼働効率は低い。この省エネ策としての並列設置の小型高率エアコンを提供する。【解決手段】既設のエアコンに小型高効率のエアコンを併設し、起動昇熱時又は起動冷却時は既設のエアコンを単独で使うか又は新設の小型高効率エアコンも並列で稼働させる。一定時間後、既設のエアコンを停止し、以後の室温の維持運転は小型高効率エアコン単独で行う。平均消費電力は運転時間にもよるが、１日７時間運転では電力消費量は半減以下に出来る。新設の場合は大型１台に代わり小型の高効率エアコン２台の併設が、遥かに省エネ的で、投資費用も変わらない。既設の暖房がオイル暖房以外の他の機種でも同様の効果が期待出来る。同時に窓ガラスに断熱シート貼付するのは熱負荷を減らし小型エアコンの単独運転を支援する。【選択図】図１
0003098405.tif 000002
【実用新案登録請求の範囲】
【請求項１】
比較的長時間使用するリビング、居間等の居室に於いて、既設の中大型エアコンに加え、小型の高効率エアコンを併設し、冬季の起動昇熱時又は夏季の起動冷却時は既設のエアコン単独か又は電源容量に余裕のあるときは、既設と新設を並列運転し、一定時間後室内が充分昇熱し、又は冷却した後、既設のエアコンを停止し、新設のエアコンの単独運転に替え、維持運転は小型の高効率エアコンで行い、冷暖房の省エネルギー化を特徴とした既設エアコンに併列設置する小型高効率エアコン。
【請求項２】
既設の暖房設備がエアコン以外の中大型暖房器である場合に、併設する請求項１記載の並列設置の小型高効率エアコン。
【請求項３】
リビング等の比較的長時間使用する居室に於いて、エアコンを新設する場合若しくは既設が老朽して更新する場合は、中大型エアコン１台に代わり、小型高効率エアコン２台を併設し、起動時は２台運転し、一定時間後の維持運転時は１台運転として冷暖房の省エネルギー化を特徴とした並列設置の小型高効率エアコン。
【請求項４】
小型高効率エアコンが単独で維持運転中に能力不足で室温が維持出来なくなる惧れあるときは、窓ガラスに高効率の断熱シートを貼付するか又は省エネ用二重スライドガラスを併設し、居室の熱負荷を減らし、省エネルギーを図る断熱シート併用の請求項１、乃至請求項３記載の並列設置の小型高効率エアコン。
【考案の詳細な説明】
【０００１】
【考案の属する技術分野】
本考案はエアコンの並列設置に掛かるものであり、省エネルギー化を意図したものである。
【０００２】
【従来の技術】
従来家庭にエアコンを設置する場合は１部屋に１台設置するのが常識であった。リビング等の古いエアコンを更新する場合も既設を撤去して新しいエアコン１台を設置するのが通例であった。
【０００３】
【考案が解決しようとする課題】
エアコンの効率の進歩は目覚ましく、最高のものはＣＯＰ（エアコンの成績係数）は６．０を越える。しかし容量が大きくなるに従い、この値は可成の割合で下がる。リビング等家庭のエネルギー消費の多い場所では中型又は大型のエアコンが設置され、しかも家の中で一番早くから設置されるので形式も古く、従って効率は低く、尚且つ常時は低負荷運転が多いので二重三重に効率が低いのが現状である。
この効率を改善し省エネルギーをはかるのが本考案の課題である。
また別途考案出願する家庭用エスコシステム装置に冷暖房の省エネ設備手段を提供するのも目的の一つである。
【０００４】
【課題を解決するための手段】
前期の課題を解決するために、最近市販され始めた小型高効率のエアコンを既設のエアコンと組み合わせて設置し、冷えた部屋の起動昇熱時又は暑い部屋の起動降熱時は既設の中大型エアコンを使用しある時間が経ち、室温が充分上がり、壁、天井、床等に蓄熱された後停止して、小型高効率エアコンに切り替えるか、又は電源容量に余裕があれば、最初から小型高効率エアコンも並列運転して速やかに昇温又は冷却し、既設エアコンを停止する。これにより常時の維持運転は小型高効率のエアコンが受け持ち、長時間使用する部屋ほど平均効率は上がる。
【０００５】
既設の暖房が他の機種例えばガス、電気、の温風暖房機や電気、ガスのストーブの場合も同様に小型高効率エアコンを並列設置して上記と同様に使用して、省エネを図ることが出来る。オイル利用の暖房は燃料単価が安いので、殆ど経済的には得策にはならない。
又部屋の熱負荷が小型エアコンの能力を上回り、気温の低いときなどにフル運転でも設定温度の維持が保てない場合は窓ガラスに断熱シートを貼り熱負荷を下げる手段を用いると或る程度有効であり、小型高効率エアコンの維持運転が容易になる。
【０００６】
【考案実施の形態】
本考案の実施の形態を図を用いて説明する。
図１、は本考案による並列設置した小型高効率エアコンの室内の外観図である。ここで小型高効率エアコンとは公称暖房能力２．２〜２．５ＫＷ、制御範囲０．４〜６．５ＫＷ、公称冷房能力２．２ＫＷ、制御範囲０．４〜３．０ＫＷ程度で、冷暖房平均ＣＯＰは５．０以上望ましくは６．０以上のものをいう。因に１６畳用公称暖房能力６．７ＫＷ冷房能力５．０ＫＷクラスではＣＯＰは４前後になる。さらに５年前では２０％か４０％効率は低く、１０年前は現在のおおよそ半分であった。従ってリビング等の中大形エアコンの平均稼働時のＣＯＰは２．０と２．５の間であるという調査数値はこの面からも裏付けされる。
【０００７】
前述の効果を簡単な計算で確かめると以下のようになる。
リビング（キッチンも含め）は熱損失は朝と夜間は関西では約３０００ｋｃａｌ／Ｈ程度で、使用時間も長く７時間とすると、２１０００ｋｃａｌでＣＯＰ５では４．９ＫＷＨであるのにＣＯＰ２や２．５では１２．２ＫＷＨから９．７６ＫＷＨで起動時並列運転の電力を考慮して差し引き、差は５〜６ＫＷＨ／日で金額で百数十円に及び、冷暖房を合わせて年間省エネ効果は１．５〜２万円、設備費用１０〜１３万円で償却期間は６〜８年である。省エネ設備手段として効率はやや劣るが、適用範囲が広く活用出来る。もう一段の効率向上（価格低下又は性能向上）を期待したい。
【０００８】
また比較的長時間毎日使用する書斎や子供部屋で他の電気暖房から切り替える省エネ効果は使用時間４時間、夜間熱損失は６畳間で１０００ｋｃａｌ／Ｈとすると電気暖房では４．６５ＫＷＨ，高効率エアコンでは０．９３ＫＷＨ、差は３．７２ＫＷＨ、金額で８５円／日程度で冷暖房を含めて年間省エネ効果は１万円程度。償却期間１２年程度となる。この場合は寧ろＣＯＰ４程度価格約半額の低ＣＯＰの低級品の方は償却期間７〜８年で効率が良いが、省エネ設備手段としてはあまり推奨は出来ない。
【０００９】
起動昇熱時又は起動降熱時の運転の切り替えは手動でもよいが、最近のエアコンのリモコンにはタイマーが内蔵されているので、それを利用するのが便利である。設定時間はあらかじめ起動から安定状態までの時間を計測して設定するのがよいが、気温により可成ばらつきがあるが、数十分程度である。
【００１０】
既設の暖房機種がガス又は電気の温風暖房機の場合又はガス電気のストーブの場合は前述のエアコンと同様、小型高効率のエアコン併設は有効であり特に電気の場合はメリットが大きい。然し既設がオイル暖房である場合はオイルが安いため、高効率のエアコンでも経済的な優位は得られない。
【００１１】
併設した小型高効率のエアコンが単独の維持運転中に、気温の低下等で能力が不足するときは、南面する部屋のガラスには高効率の透明断熱シートを貼付するか、さらに断熱シートを貼付した二重スライドガラスのサッシを利用するかして熱損失を削減する手段がある程度有効である。
【００１２】
【考案の効果】
前項で述べたようにリビング等の比較的長時間使用する居室に中大型のエアコンを設置している場合は小型高効率のエアコンを併設して常時はそれを維持運転に使用すると約半分の電力で済み、大幅な省エネルギーになる。また長時間使用する場所程有利になる。ただ投資効率としては６〜７年で必ずしも良くないが、どの家庭にも利用出来る汎用性のある省エネ方法である。従ってエスコシステムを構成するときには既設中大型エアコンに併設する小型高効率エアコンは冷暖房用途の有力な省エネ設備手段として利用出来る。
又他の中大型暖房機種が既設の場合も同様に小型高効率エアコンを併設すのは有効であるが、既設がオイル温風暖房機の場合だけは経済的に有利さは発揮出来ない。
またガラス面に断熱シートを貼付する熱損失を削減する手段を併用するときは、なお効果が上がる。
【図面の簡単な説明】
【図　１】既設中大型エアコンに併設した小型高効率エアコンの室内設置図
１、既設中型エアコン
２　小型高効率エアコン
３　壁面
【図１】
0003098405.tif 000003
【手続補正書】
【提出日】平成15年7月28日(2003.7.28)
【手続補正２】
【補正対象書類名】明細書
【補正対象項目名】実用新案登録請求の範囲
【補正方法】変更
【補正の内容】
【実用新案登録請求の範囲】
【請求項１】
リビング等の居室内に中大型エアコンと小型で高効率のエアコンとを併設したことを特徴とする、冷暖房設備。
【請求項２】
前記小型高効率エアコンは、公称暖房能力２．２〜２．５ＫＷ、制御範囲０．４〜６．５ＫＷ、公称冷房能力２．２ＫＷ、制御範囲０．４〜３．０ＫＷ程度で、冷暖房平均ＣＯＰが５．０以上である、請求項１に記載の冷暖房設備。
【請求項３】
前記中大型エアコンの単独運転と、前記中大型エアコンおよび前記小型高効率エアコンの並列運転と、前記小型高効率エアコンの単独運転とを切換える手段を備える、請求項１または２に記載の冷暖房設備。
【請求項４】
前記居室は、断熱シートを貼付した窓ガラスを有する、請求項１〜３のいずれかに記載の冷暖房設備。
【手続補正３】
【補正対象書類名】明細書
【補正対象項目名】０００４
【補正方法】変更
【補正の内容】
【０００４】
【課題を解決するための手段】
この考案に従った冷暖房設備は、リビング等の居室内に中大型エアコンと小型で高効率のエアコンとを併設したことを特徴とする。
好ましくは、小型高効率エアコンは、公称暖房能力２．２〜２．５ＫＷ、制御範囲０．４〜６．５ＫＷ、公称冷房能力２．２ＫＷ、制御範囲０．４〜３．０ＫＷ程度で、冷暖房平均ＣＯＰが５．０以上である。
好ましくは、冷暖房設備は、中大型エアコンの単独運転と、中大型エアコンおよび小型高効率エアコンの並列運転と、小型高効率エアコンの単独運転とを切換える手段を備える。
好ましくは、居室は、断熱シートを貼付した窓ガラスを有する。
上記構成を有する冷暖房設備の使用方法は、次の通りである。
比較的長時間使用するリビング、居間等の居室において、既設の中大型エアコンに加えて、最近市販され始めた小型高効率のエアコンとを組み合わせて設置する。冬季の起動昇熱時または夏季の起動冷却時には、既設の中大型エアコンを単独運転する。あるいは、電源容量に余裕のあるときには、既設の中大型エアコンと新設の小型高効率エアコンとを並列運転する。
一定時間経過後、室内が十分昇熱して壁、天井、床等に蓄熱されたら、または室内が十分に冷却したら、既設の中大型エアコンの運転を停止し、小型高効率エアコンの単独運転に切換える。これにより、常時の維持運転を小型高効率のエアコンで行なう。
上記の使用方法により、長時間使用する部屋ほど省エネルギー化を実現できる。